(57)【要約】【課題】堅牢で且つ開放時の収納スペースが小さくて済み、また日中建物内に人が居る時に使用しても生活上問題のない窓用侵入防止装置を提供する。【解決手段】窓の上辺部に沿って設けられるネット巻取手段１と、このネット巻取手段から巻き戻されることで窓全面を覆う侵入防止用ネット２と、窓の両側辺部に沿って設けられる侵入防止用ネットの拘束・ガイド手段３と、窓の下辺部に設けられ、侵入防止用ネットの先端部を係脱可能に係止する係止手段４とを備え、前記侵入防止用ネット２は、窓高さ方向に沿って配置される複数条の難切断性縄状体６と、窓幅方向に沿って配置され且つ前記各難切断性縄状体が連結される複数のロッド７とからなり、このロッド７の両端部が前記拘束・ガイド手段３に拘束されつつガイドされる。【選択図】      図１
2004293058.tif 000002
【特許請求の範囲】
【請求項１】
窓の上辺部に沿って設けられるネット巻取手段と、該ネット巻取手段に巻き取られるとともに、該手段から巻き戻されることにより窓全面を覆う侵入防止用ネットと、窓の両側辺部に沿って設けられ、移動する侵入防止用ネットの両側縁部を拘束しつつガイドする拘束・ガイド手段と、窓の下辺部に設けられ、前記侵入防止用ネットの先端部を係脱可能に係止する係止手段とを備え、
前記侵入防止用ネットは、窓幅方向で適宜間隔をおいて窓高さ方向に沿って配置される複数条の難切断性縄状体と、該難切断性縄状体群の窓高さ方向で適宜間隔をおいた位置に窓幅方向に沿って配置され、且つ前記各難切断性縄状体が連結される複数のロッドとからなり、該ロッドの両端部が前記拘束・ガイド手段に拘束されつつガイドされることを特徴とする窓用侵入防止装置。
【請求項２】
難切断性縄状体が、下記（ａ）〜（ｄ）の中から選ばれる１種以上であることを特徴とする請求項１に記載の窓用侵入防止装置。
（ａ）高強度繊維ロープ
（ｂ）ワイヤ−高強度繊維複合ロープ
（ｃ）  軸方向に貫通孔を有する金属製の複数の短軸体と、直列状に配された前記短軸体の貫通孔に挿通されることにより短軸体群を保持する縄状体とからなり、前記短軸体群は、隣接する短軸体の端部どうしが当接するとともに、該当接部が関節機構を構成することにより可曲性を有するロープ
（ｄ）  軸方向に貫通孔を有する金属製の複数の短軸体と、直列状に配された前記短軸体の貫通孔に挿通されることにより短軸体群を保持する縄状体と、前記短軸体群を被覆する高強度繊維とからなり、前記短軸体群は、隣接する短軸体の端部どうしが当接するとともに、該当接部が関節機構を構成することにより可曲性を有するロープ
【請求項３】
拘束・ガイド手段が、長手方向に沿ってスリットが形成された管体からなるとともに、侵入防止用ネットを構成する各ロッドが両端に膨径部を有し、各ロッドの膨径部が前記スリットを通じて前記管体内に挿入されることにより、拘束・ガイド手段に拘束されつつガイドされることを特徴とする請求項１又は２に記載の窓用侵入防止装置。
【発明の詳細な説明】
【０００１】
【発明の属する技術分野】
本発明は、建物の窓に設けられる侵入防止装置に関する。
【０００２】
【従来の技術】
最近、建物内に侵入して窃盗や強盗をはたらく犯罪が急増している。一般家屋やオフィスビルなどの建物では、ドアに高性能の鍵を取り付けることなどによって、ドアからの侵入はある程度防止できるが、窓については本体がガラスであるため、高性能な鍵を取り付けたり或いは強化材で補強した窓ガラスを用いたとしても、外部からの侵入に対する保安性はドアに較べてかなり低い。
【０００３】
【発明が解決しようとする課題】
窓からの侵入防止手段として、最も一般的なものに鎧戸があるが、従来使用されている鎧戸はあまり堅牢なものではない。また、窓に開閉式（昇降式）のシャッターを設けることも考えられるが、開放時に収納しておくための収納用スペースの制約上、シャッターを窓に適用することは難しい。また、日中建物内に人が居る時に鎧戸やシャッターを閉め切ることは日常生活する上で実際的ではなく、このため従来の鎧戸やシャッターは、日中建物内に人が居る時には使用しにくいという難点がある。
【０００４】
したがって本発明の目的は、堅牢でしかも開放時の収納スペースが小さくて済み、また日中建物内に人が居る時に使用しても生活上問題のない窓用侵入防止装置を提供することにある。
【０００５】
【課題を解決するための手段】
上記課題を解決するための本発明の特徴は、以下のとおりである。
［１］  窓の上辺部に沿って設けられるネット巻取手段と、該ネット巻取手段に巻き取られるとともに、該手段から巻き戻されることにより窓全面を覆う侵入防止用ネットと、窓の両側辺部に沿って設けられ、移動する侵入防止用ネットの両側縁部を拘束しつつガイドする拘束・ガイド手段と、窓の下辺部に設けられ、前記侵入防止用ネットの先端部を係脱可能に係止する係止手段とを備え、
前記侵入防止用ネットは、窓幅方向で適宜間隔をおいて窓高さ方向に沿って配置される複数条の難切断性縄状体と、該難切断性縄状体群の窓高さ方向で適宜間隔をおいた位置に窓幅方向に沿って配置され、且つ前記各難切断性縄状体が連結される複数のロッドとからなり、該ロッドの両端部が前記拘束・ガイド手段に拘束されつつガイドされることを特徴とする窓用侵入防止装置。
【０００６】
［２］  上記［１］の侵入防止装置において、難切断性縄状体が、下記（ａ）〜（ｄ）の中から選ばれる１種以上であることを特徴とする窓用侵入防止装置。
（ａ）高強度繊維ロープ
（ｂ）ワイヤ−高強度繊維複合ロープ
（ｃ）  軸方向に貫通孔を有する金属製の複数の短軸体と、直列状に配された前記短軸体の貫通孔に挿通されることにより短軸体群を保持する縄状体とからなり、前記短軸体群は、隣接する短軸体の端部どうしが当接するとともに、該当接部が関節機構を構成することにより可曲性を有するロープ
（ｄ）  軸方向に貫通孔を有する金属製の複数の短軸体と、直列状に配された前記短軸体の貫通孔に挿通されることにより短軸体群を保持する縄状体と、前記短軸体群を被覆する高強度繊維とからなり、前記短軸体群は、隣接する短軸体の端部どうしが当接するとともに、該当接部が関節機構を構成することにより可曲性を有するロープ
【０００７】
［３］  上記［１］又は［２］の侵入防止装置において、拘束・ガイド手段が、長手方向に沿ってスリットが形成された管体からなるとともに、侵入防止用ネットを構成する各ロッドが両端に膨径部を有し、各ロッドの膨径部が前記スリットを通じて前記管体内に挿入されることにより、拘束・ガイド手段に拘束されつつガイドされることを特徴とする窓用侵入防止装置。
【０００８】
【発明の実施の形態】
図１〜図３は本発明の窓用侵入防止装置の一実施形態を示すもので、図１は正面図、図２は図１中のＸ−Ｘ線に沿う断面図、図３は拘束・ガイド部材と侵入防止用ネットの部分拡大正面図である。図において、Ａは建物の窓である。
本実施形態の装置は、窓Ａの上辺部に沿って設けられるネット巻取装置１と、このネット巻取装置１に巻き取られるとともに、同装置から巻き戻されることにより窓Ａの全面を覆う侵入防止用ネット２と、窓Ａの両側辺部に沿って設けられ、移動（昇降）する侵入防止用ネット２の両側縁部を拘束しつつガイドする拘束・ガイド部材３ａ，３ｂと、窓の下辺部に設けられ、前記侵入防止用ネット２の先端部を係脱可能に係止（ロック）する係止装置４とを備えている。
【０００９】
前記ネット巻取装置１は、窓Ａの上辺部に沿って設けられるケーシング８と、このケーシング８内の長手方向に沿って設けられる回転可能なネット巻取軸９と、このネット巻取軸９を回転駆動させる駆動装置１０を備えている。
前記ケーシング８は巻き取られた侵入防止用ネット２の収納部であり、その下部の長手方向に沿って、侵入防止用ネット２が通過すべき通孔（図示せず）が設けられている。また、前記駆動装置１０は、モータ１００と、このモータ１００の駆動力を前記ネット巻取軸９に伝えるためのギア機構１０１を備えている。
【００１０】
前記侵入防止用ネット２は、窓幅方向で適宜間隔をおいて窓高さ方向に沿って配置される複数条の難切断性縄状体６と、この難切断性縄状体群の窓高さ方向で適宜間隔をおいた位置に窓幅方向に沿って配置され、且つ前記各難切断性縄状体６が連結される複数のロッド７とからなり、このロッド７の両端部が前記拘束・ガイド部材３ａ，３ｂに拘束されつつガイドされるようになっている。このため各ロッド７の両端部には略球状の膨径部７０が設けられている。
前記ロッド７は金属製であり、長手方向で適宜間隔をおいた位置に径方向を貫通する通孔７１が形成され、この通孔７１に前記各難切断性縄状体６が挿通するとともに、通孔７１の上下の難切断性縄状体部分にストッパ１１が固定されることにより、難切断性縄状体６とロッド７とが連結（固定）されている。なお、図中の７ａは侵入防止用ネット２の最下部（先端部）のロッドであり、このロッド７ａには難切断性縄状体６の一部のみが連結されている。
【００１１】
前記難切断性縄状体６は、刃物などで切断され難いものであれば素材は特に限定されないが、通常、下記（ａ）〜（ｄ）の中から選ばれる１種以上を用いることが好ましい。
（ａ）高強度繊維ロープ
（ｂ）ワイヤ−高強度繊維複合ロープ
（ｄ）  軸方向に貫通孔を有する金属製の複数の短軸体と、直列状に配された前記短軸体の貫通孔に挿通されることにより短軸体群を保持する縄状体とからなり、前記短軸体群は、隣接する短軸体の端部どうしが当接するとともに、該当接部が関節機構を構成することにより可曲性を有するロープ
（ｄ）  軸方向に貫通孔を有する金属製の複数の短軸体と、直列状に配された前記短軸体の貫通孔に挿通されることにより短軸体群を保持する縄状体と、前記短軸体群を被覆する高強度繊維とからなり、前記短軸体群は、隣接する短軸体の端部どうしが当接するとともに、該当接部が関節機構を構成することにより可曲性を有するロープ
【００１２】
上記（ａ）のロープを構成し、或いは上記（ｂ）及び（ｄ）のロープの一部を構成する高強度繊維としては、例えば、剛直性高分子樹脂繊維、屈曲性高分子樹脂繊維、炭素繊維、金属繊維などが挙げられ、これらの中から選ばれる１種以上を用いることができる。
前記剛直性高分子樹脂繊維としては、全芳香族ポリアミド繊維（アラミド繊維）、全芳香族ポリエステル繊維、ヘテロ環高性能繊維などがある。
前記全芳香族ポリアミド繊維（アラミド繊維）には、パラ系アラミド繊維とメタ系アラミド繊維がある。前者の例としては、例えば、「ケブラー」（商品名，デュポン社製）、「トワロン」（商品名，アクゾ社製）、「テクノーラ」（商品名，帝人製）などがあり、後者の例としては、例えば、「ノーメックス」（商品名，デュポン社製）、「コーネックス」（商品名，帝人製）などがある。
【００１３】
前記全芳香族ポリエステル繊維の例としては、例えば、「ベクトラン」（商品名，セラニーズ社製）、「エコノール」（商品名，カーボランダム社製）などがある。
前記ヘテロ環高性能繊維としては、例えば、ポリ−ｐ−フェニレンベンゾビスチアゾール（ＰＢＺＴ）繊維、ポリ−ｐ−フェニレンベンズビスオキサゾール（ＰＢＯ）繊維などがある。
【００１４】
前記屈曲性高分子樹脂繊維には、ポリエチレン繊維、ポリビニルアルコール繊維、ポリアクリロニトリル繊維、ポリエチレンテレフタレート繊維、ナイロン繊維、ポリアセタール繊維などがある。
前記ポリエチレン繊維としては、例えば、「ダイニーマ」（商品名，東洋紡製）、「テクミロン」（商品名，三井石油化学製）などがある。
前記ポリアセタール繊維としては、例えば、「デルリン」（商品名，デュポン社製）、「テナックＳＤ」（商品名，旭化成製）などがある。
また、前記炭素繊維は、強度の面からは特にＰＡＮ系炭素繊維が好ましく、このＰＡＮ系炭素繊維としては、例えば、「トレカ」（商品名，東レ製）、「ベスファイト」（商品名，東邦レーヨン製）などがある。
【００１５】
図４は前記（ｃ）のロープの一実施形態を示すもので、このロープは、軸方向に貫通孔６００を有する金属製の複数の短軸体６０（駒）と、直列状に配された前記複数の短軸体６０の貫通孔６００に挿通されることにより短軸体群を保持する縄状体６１とから構成されている。
前記複数の短軸体６０を直列状に配した短軸体群は、隣接する短軸体６０の端部どうしが当接するとともに、この当接部が関節機構ｊを構成することにより、ロープに可曲性が与えられる。
【００１６】
本実施形態の短軸体６０は、一端が凸曲面状（凸球面状）の端部６０１に構成されるとともに、他端が凹曲面状（凹球面状）の端部６０２に構成され、隣接する短軸体間で一方の短軸体６０の凸曲面状の端部６０１を他方の短軸体６０の凹曲面状の端部６０２に嵌め込むことにより、関節機構ｊが構成されるようになっている。
短軸体６０の前記貫通孔６００の両端は外側に向かってロート状に拡径６０３しており、この拡径部６０３により貫通孔６００に挿通された縄状体６１が前記関節機構ｊの動きを阻害しないようにしている。
短軸体６０の材質は金属であれば特に制限はないが、製作の容易性や耐刃物切断性（強度）の面からは、アルミニウム、アルミニウム合金（例えば、ジュラルミン（商品名）など）の１種以上から構成することが好ましい。
短軸体６０の長さは任意であるが、短ければ短いほどロープの可曲率を小さくできるので、ロープとしての機能を高めることができる。
【００１７】
前記縄状体６１の材質も特に限定されないが、引張強度等の面からは、ワイヤロープ（例えば、ピアノ線）、高強度繊維ロープ、ワイヤ−高強度繊維複合ロープの中から選ばれる１種以上とすることが好ましい。なお、高強度繊維としては、先に述べた高強度繊維の１種以上を用いることが好ましい。
この縄状体６１は、上記のように直列状に配された複数の短軸体６０の貫通孔６００に挿通され、これら複数の短軸体６０、すなわち短軸体群を保持する。
【００１８】
図５は前記（ｄ）のロープの一実施形態を示すもので、このロープは、前記（ｃ）のロープの外側（短軸体群の外側）を高強度繊維６２で被覆したものである。
すなわち、このロープは、軸方向に貫通孔６００を有する金属製の複数の短軸体６０（駒）と、直列状に配された前記複数の短軸体６０の貫通孔６００に挿通されることにより短軸体群を保持する縄状体６１と、前記短軸体群を被覆する高強度繊維６２（繊維織布）とから構成されている。前記短軸体６０及び縄状体６１の構成は前記（ｃ）のロープと同様である。
前記高強度繊維６２は、縄状体６１に保持された短軸体群の外側を被覆するもので、例えば、高強度繊維織布を短軸体群に巻き付けてその端部を固着してもよいし、高強度繊維織布を予め筒状にしておき、その中に短軸体群を挿入してよい。なお、高強度繊維としては、先に述べた高強度繊維の１種以上を用いることが好ましい。
【００１９】
上記（ｃ）、（ｄ）のロープにおいて、その切断強度（耐刃物切断性）をより高めるには、金属製の短軸体６０の少なくとも端部を除く本体部分の外面に、セラミック被覆層を形成することが好ましい。このセラミック被覆層としては、例えば、セラミック塗料を塗布して形成したもの（好ましくは、セラミック塗料を塗布後に焼付処理したもの）、燒結セラミックにより構成したもの、などを適用できる。なお、セラミック被覆層は、端部６０１，６０２を含めた短軸体６０の全体に形成してもよい。
以上のような（ｃ）、（ｄ）のロープは、短軸体群の各短軸体６０間に関節機構ｊを有するために適切な可曲性を有する。また、特に（ｄ）のロープは、直列した金属製の短軸体群とその外側を覆う高強度繊維６２との複合化により、非常に優れた耐刃物切断性を示す。これは剛性金属体である短軸体と高強度繊維とが刃物による切断を妨げる何らかの協働作用をするためであると考えられる。
【００２０】
本実施形態では、窓幅方向で並列した大部分の難切断性縄状体６を上記（ａ）の高強度繊維ロープで構成するとともに、適当な本数毎の難切断性縄状体６を上記（ｄ）のロープで構成している。
図６は、侵入防止用ネット２の他の実施形態を示すもので、難切断性縄状体６を上記（ｃ）のロープのみで構成したものである。この実施形態では、ロッド７の通孔７１内に難切断性縄状体６を構成する縄状体６１のみを挿通させ、その上下の短軸体６０でロッド７を挟み込むことにより、難切断性縄状体６がロッド７に連結（固定）されている。
【００２１】
前記拘束・ガイド部材３ａ，３ｂは、長手方向に沿ってスリット５０が形成された管体５で構成され、この管体５が窓の両側辺部に沿って固定されている。
侵入防止用ネット２を構成する各ロッド両端の膨径部７０は、前記スリット５０を通じて前記管体５内に挿入されることにより、拘束・ガイド手段（拘束・ガイド部材３ａ，３ｂ）に拘束されつつガイドされる。
前記管体５の開放した先端部は、ネット巻取装置１のケーシング８の真下に位置し、ケーシング８から繰り出される侵入防止用ネット２を構成するロッド７の膨径部７０が、管体５の先端からその内部に入り込む。また、この膨径部７０の管体５内への進入を円滑になさしめるために、管体５の開放した先端部には拡径部５１が形成されている。
なお、前記管体５は、その先端をケーシング８に直接接続し、管体５の内部をケーシング８の内部と連通させるようにしてもよい。
【００２２】
前記係止装置４は、窓Ａの下辺部に沿って回動可能に設けられる回動軸１２と、この回動軸１２の長手方向の複数箇所に設けられるフック体１３と、前記回動軸１２を回動駆動させるための駆動装置１４とを備えている。この駆動装置１４は、モータ１４０と、このモータ１４０の駆動力を前記回動軸１２に伝えるためのギア機構１４１を備えている。なお、図中の１５は回動軸１２の軸受である。
【００２３】
この係止装置４は、侵入防止用ネット２がネット巻取装置１から巻き戻されて窓Ａの全面を覆った状態において、回動軸１２を回動させてフック体１３を侵入防止用ネット２を構成する最下部（先端部）のロッド７ａに引っ掛けることにより、侵入防止用ネット２の先端部を係脱可能に係止（ロック）するものである。
なお、本発明の装置では、ネット巻取装置１と係止装置４の作動を電気的に連繋させておくことが好ましい。すなわち、ネット巻取装置７が作動して侵入防止用ネット２が巻き戻され、この侵入防止用ネット２が窓Ａの全面を覆う所定の位置に達した時点で、係止装置４が自動的に作動し、侵入防止用ネット２を係止するような制御機構を備えることが好ましい。
【００２４】
以上のような本発明の装置では、ネット巻取装置１を駆動させることにより侵入防止用ネット２の巻き取り・巻き戻し（繰り出し）が行われ、侵入防止用ネット２による窓Ａの防護及びその解除がなされる。
ネット巻取装置１に巻き取られ、或いは同装置１から巻き戻される侵入防止用ネット２は、そのロッド７の膨径部７０が拘束・ガイド部材３ａ，３ｂ（管体５）に拘束・ガイドされつつ窓Ａに対して上下移動（昇降）する。また、巻き戻される際の侵入防止用ネット２は、自重によって下降する。
【００２５】
侵入防止用ネット２がネット巻取装置１から巻き戻され、図１に示すように窓Ａの全面を覆った状態になった時点で、係止装置４が作動し、回動軸１２が回動してフック体１３が侵入防止用ネット２の最下部のロッド７ａに引っ掛かり、侵入防止用ネット２を係止（ロック）する。侵入防止用ネット２による窓Ａの防護を解除するには、前記係止装置４を再作動させてフック体１３による侵入防止用ネット２の係止（ロック）を解除した後、ネット巻取装置１を作動させて侵入防止用ネット２を同装置１に巻き取る。
【００２６】
以上述べた本発明の装置は、侵入防止用ネット２が難切断性縄状体６とロッド７から構成され、且つその両側縁部が拘束・ガイド部材３ａ，３ｂで拘束され、しかも係止装置４で確実に係止（ロック）されるものであるため、従来のシャッターと同様の堅牢性を有する。その一方で、侵入防止用ネット２は、難切切断性縄状体６とロック７とからなるネット体であるため、巻き取った際の収納スペースが小さくて済み、しかも十分な透光性を有するために、日中侵入防止用ネット２で窓Ａを覆っても窓からの外光の取り入れを適切に行うことができ、日常生活に実際上の支障をきたすことがない。
【００２７】
【発明の効果】
以上述べた本発明の窓用侵入防止装置は、堅牢でしかも非使用時の収納スペースが小さくて済み、また透光性があるため日中建物内に人が居る時に使用しても生活上問題を生じることがない。
【図面の簡単な説明】
【図１】本発明の窓用侵入防止装置の一実施形態を示す正面図
【図２】図１の中のＸ−Ｘ線に沿う断面図
【図３】図１の実施形態の拘束・ガイド部材と侵入防止用ネットの部分拡大正面図
【図４】本発明の窓用侵入防止装置において、侵入防止用ネットを構成する難切断性縄状体の他の実施形態を示す部分断面平面図
【図５】本発明の窓用侵入防止装置において、侵入防止用ネットを構成する難切断性縄状体の他の実施形態を示す部分断面平面図
【図６】本発明の窓用侵入防止装置において、侵入防止用ネットの他の実施形態を示す正面図
【符号の説明】
１…ネット巻取装置、２…侵入防止用ネット、３ａ，３ｂ…拘束・ガイド部材、４…係止装置、５…管体、６…難切断性縄状体、７，７ａ…ロッド、８…ケーシング、９…ネット巻取軸、１０…駆動装置、１１…ストッパ、１２…回動軸、１３…フック体、１４…駆動軸、５０…スリット、５１…拡径部、６０…短軸体、６１…縄状体、６２…高強度繊維、７０…膨径部、７１…通孔、１００…モータ、１０１…ギヤ機構、１４０…モータ、１４１…ギヤ機構、６００…貫通孔、６０１，６０２…端部、６０３…拡径部、Ａ…窓、ｊ…関節機構
【図１】
2004293058.tif 000003
【図２】
2004293058.tif 000004
【図３】
2004293058.tif 000005
【図４】
2004293058.tif 000006
【図５】
2004293058.tif 000007
【図６】
2004293058.tif 000008